(57)【要約】【課題】  製造コストの低減及び光源の配置自由度の確保による薄型化を図る。【解決手段】  可撓性を有するプリント配線基板５にスリットを形成して、複数の舌片部４を形成し、これら舌片部４の先端に光源としてＬＥＤ６を実装し、これらＬＥＤ６が実装された舌片部４以外の部分をベース板９で支持する。ベース板９には、万能継ぎ手１７を介して支持台１６が取り付けられている。ＬＥＤ６を実装した舌片部４の先端は、多少の曲げを持たせて支持台１６に支持される。支持台１６には、カバー１０の外部まで延びる操作ノブ１５が連結されており、操作ノブ１５の調整により、ＬＥＤ６の照明角度を調整することができる。【選択図】  図２
2006216397.tif 000002
【特許請求の範囲】
【請求項１】
一部が舌片部を形成するように切り込みが形成された可撓性プリント配線基板と、
この可撓性プリント配線基板の前記舌片部の先端に実装された光源用の発光素子と、
前記可撓性プリント配線基板の前記舌片部以外の部分を支持するベースと、
このベースに取り付けられた万能継ぎ手と、
この万能継ぎ手を介して前記ベースに取り付けられて前記発光素子を実装した前記舌片部の先端を前記可撓性プリント配線基板の前記舌片部以外の部分から変位させて支持する支持台と、
前記支持台の角度を調整する角度調整手段と
を備えたことを特徴とする照明装置。
【請求項２】
前記可撓性プリント配線基板、発光素子、万能継ぎ手及び支持台を内部に収容するカバーを備え、
前記角度調整手段は、前記支持台から前記カバーの外部に延びる操作ノブである
ことを特徴とする請求項１記載の照明装置。
【発明の詳細な説明】
【技術分野】
【０００１】
本発明は、可撓性プリント配線基板上に照明用光源を実装してなる照明装置に関し、特に自動車用天井照明などに適した照明装置に関する。
【背景技術】
【０００２】
多数の光源を保持体の表面に配列させた発光体装置として、例えば光源である複数のＬＥＤの配列方向に延びる平板状の接続導体によってＬＥＤのアノード及びカソード同士を相互に接続した構造の光源連結体が知られている（特許文献１）。この光源連結体における接続導体は、所定のパターンが形成された概ね平板なパターン化導体の所要の部分をプレス加工によって切除することにより形成される。この光源連結体によれば、接続導体に適度な可撓性を付与することにより、光源連結体を所要の形状に適宜変形させることができ、光源の多様な配置にも容易に対処することができる。
【特許文献１】ＷＯ０２／０８９２２２Ａ１，３頁７〜２２行、図８０
【発明の開示】
【発明が解決しようとする課題】
【０００３】
しかしながら、上述した従来の光源連結体では、光源であるＬＥＤの各端子を平板なパターン化導体をプレス加工して形成された接続導体で接続する方式であるため、部品点数が多いうえ、接続導体の形成、接続導体とＬＥＤの接続のための工数、及び接続導体とプリント配線板とを接続する工数が必要で、製造コストが上昇するという問題がある。また、構造上、薄型化が困難であるという問題がある。
【０００４】
本発明は、このような点に鑑みてなされたもので、製造コストの低減及び光源の配置自由度の確保による薄型化を図ることができる照明装置を提供することを目的とする。
【課題を解決するための手段】
【０００５】
本発明に係る照明装置は、一部が舌片部を形成するように切り込みが形成された可撓性プリント配線基板と、この可撓性プリント配線基板の前記舌片部の先端に実装された光源用の発光素子と、前記可撓性プリント配線基板の前記舌片部以外の部分を支持するベースと、このベースに取り付けられた万能継ぎ手と、この万能継ぎ手を介して前記ベースに取り付けられて前記発光素子を実装した前記舌片部の先端を前記可撓性プリント配線基板の前記舌片部以外の部分から変位させて支持する支持台と、前記支持台の角度を調整する角度調整手段とを備えたことを特徴とする。
【０００６】
本発明の一実施形態においては、前記可撓性プリント配線基板、発光素子、万能継ぎ手及び支持台を内部に収容するカバーを備え、前記角度調整手段は、前記支持台から前記カバーの外部に延びる操作ノブであることを特徴とする。
【発明の効果】
【０００７】
本発明によれば、可撓性プリント配線基板に切り込みを入れて形成された舌片部の先端に光源となる発光素子を実装し、舌片部の先端を舌片部以外の部分から変位させて支持台に支持させるようにしているので、発光素子とプリント配線基板との接続工程を簡略化することができ、製造コストの低減を図ることができる。また、発光素子の配置自由度を確保して装置全体の薄型化を図ることができると共に、発光素子を実装した舌片部の先端を万能継ぎ手を介して支持しているので、角度調整が可能である。
【発明を実施するための最良の形態】
【０００８】
以下、添付の図面を参照して、本発明の実施の形態を説明する。
【０００９】
図１〜図３は、本発明の一実施形態に係る照明装置を説明するための図で、図１は外観斜視図、図２は要部の断面図、図３はプリント実装回路の平面図である。
【００１０】
この照明装置１は、本発明を自動車の天井照明装置の一つであるマップランプに適用したもので、照明方向の角度調整が可能な照明装置である。この照明装置１に内蔵されるプリント実装回路２は、スリット３により複数の舌片部４が形成されたＰＥＴ等の可撓性フィルムからなるプリント配線基板５と、このプリント配線基板５の各舌片部４の先端部に実装された光源となるＬＥＤ６とを備えて構成されている。ＬＥＤ６は、プリント配線基板５上に形成された図示しない配線パターンを介して照明に必要な電力を供給されている。
【００１１】
プリント配線基板５の舌片部４以外の部分８は、照明装置１の支持部材となるベース板９に添設されている。ベース板９には、薄型のカバー１０が取り付けられ、このカバー１０との間の空間にプリント実装回路２の収容空間１１を形成している。カバー１０には、複数のレンズ１２が嵌合されている。これらレンズ１２の近傍にはＬＥＤ６への電源供給経路を断続するスイッチ１３が配置されている。また、レンズ１２の近傍には、孔１４が形成され、これら孔１４をそれぞれ介して操作ノブ１５がカバー１０の内側から外側に突出するように形成されている。
【００１２】
プリント実装回路２の各舌片部４の先端部は、照明装置１の収容空間１１の内部で、舌片部以外の部分８から変位させ、多少の撓みを持たせた状態で支持台１６上に支持されている。支持台１６は、ベース板９に対して万能継ぎ手１７を介して取り付けられている。操作ノブ１５はこの支持台１６に取り付けられ、支持台１６の角度を任意に調整可能になっている。なお、プリント配線回路５には、万能継ぎ手１７が貫通する継ぎ手貫通部１８が形成されている。
【００１３】
このような構成によれば、カバー１０の外側から操作ノブ１５を操作することによって照明角度を調整することができる。また、通電経路はプリント配線基板５上に形成されるため、導電性のリンク機構が不要であり、舌片部４に曲げ部分を形成すれば、広い角度範囲での調整が可能である。
【００１４】
なお、図４に示すように、プリント実装回路２０を構成するプリント配線基板２１の舌片部４の先端を互い違いに配置して、更に多くのＬＥＤ６を効率良く配置したり、曲面に沿って配置するようにしても良い。複数の舌片部４を互い違いに形成することにより、ＬＥＤ毎にその設置面高さや実装角度を変えることができる。
【００１５】
また、図４に示すように、プリント配線基板２１のスリット３の角部及び端部に孔２２を形成することにより、プリント配線基板２１自体のスリット３での破断やクラックの進展を防止することができる。また、この他、孔２１の代わりにスリット３自体を曲線で構成することで、同様のスリット部での破断やクラックの進展を防止することができる。
【００１６】
本発明は、上述した自動車のマップランプだけでなく、薄型のインテリア照明などにも適用可能である。また、上記実施形態では、１つの舌片部には１つのＬＥＤを配置したが、１つの舌片部に複数の発光素子を配置するようにしても良い。
【図面の簡単な説明】
【００１７】
【図１】本発明の一実施形態に係る照明装置の外観斜視図である。
【図２】同照明装置の要部の断面図である。
【図３】同照明装置のプリント実装回路の要部の平面図である。
【図４】本発明の他の実施形態に係る照明装置におけるプリント実装回路の平面図である。
【符号の説明】
【００１８】
１…照明装置、２，２０…プリント実装回路、３…スリット、４…舌片部、５，２１…プリント配線基板、６…ＬＥＤ、９…ベース板、１０…カバー、１２…レンズ、１３…スイッチ、１５…操作ノブ、１６…支持台、１７…万能継ぎ手。
【図１】
2006216397.tif 000003
【図２】
2006216397.tif 000004
【図３】
2006216397.tif 000005
【図４】
2006216397.tif 000006